(57)【要約】      （修正有）【課題】携帯端末による通信機能を利用してオフライン自動販売機からのキャンペーン商品購入情報を入手してポイントを付与するシステムを提供する。【解決手段】オフライン自動販売機２０にリーダー２４を取付け、キャンペーン期間中待機状態とし、自動販売機２０上の商品の選択ボタン２２を押した後、リーダー２４を一定時間有効にする。携帯端末１００は非接触通信部１２０を搭載し、リーダー２４に携帯端末のＩＤを送信する。リーダー２４は携帯端末１００内の非接触通信部１２０に、購入商品情報及び購入時間情報とともにリーダーＩＤ、携帯ＩＤを含むサーバーアドレスを返信する。携帯端末１００はキャンペーン期間待機中のサーバー５０に接続し、購入商品情報及び購入時間情報とともに携帯ＩＤとリーダー２４ＩＤとをキャンペーンサーバー５０に送信し、携帯ＩＤとリーダー２４ＩＤを照会し、ポイントを付与し、結果を携帯端末１００に送信する。【選択図】図１
2011238065.tif 000002
【特許請求の範囲】
【請求項１】
非接触通信機能を搭載し、インターネットを介して特定のサーバーと無線通信可能な携帯端末と、少なくとも予め決められたキャンペーン期間中ユーザーが商品を購入する毎に一定時間有効となるリーダーを搭載したオフライン自動販売機と、少なくとも予め決められたキャンペーン期間中携帯端末からの通信を受けて自動販売機の商品購入情報を管理するキャンペーンサーバーとからなり、
ユーザーが自動販売機からキャンペーン期間中商品を購入することによりリーダーを有効化し、ユーザーが携帯端末を有効化した自動販売機のリーダーに携帯ＩＤを送信すると、自動販売機のリーダーは携帯端末に、少なくとも商品購入情報及び購入時間情報とリーダーＩＤ及び携帯ＩＤを含むキャンペーンサーバーアドレスとを送信し、
次いで携帯端末は入手したキャンペーンサーバーアドレスに基づいて待機するキャンペーンサーバーに接続し、商品購入情報及び購入時間情報とともに携帯ＩＤ及びリーダーＩＤを送信し、
キャンペーンサーバーは受信した携帯ＩＤとリーダーＩＤを照会し、キャンペーン期間中の商品購入情報及び購入時間情報に基づきポイントを付与し、携帯端末に結果情報を送信することを特徴とするオフライン自動販売機のポイント及び商品管理システム。
【請求項２】
携帯端末からサーバーに送信される情報が適正であるか否かをサーバーに送信される商品の購入時間情報により、同一の商品購入情報の最先の購入時間情報を伴う商品購入情報を適正とし、携帯端末毎にポイントを付与し、サーバーで管理する請求項１記載のシステム。
【請求項３】
前記リーダーは、商品情報を１回送信した後、または所定時間経過後非有効化する請求項１記載のシステム。
【発明の詳細な説明】
【技術分野】
【０００１】
本発明は、オフライン自動販売機からキャンペーン期間中の商品の購入情報を非接触通信機能を搭載した携帯端末の無線通信機能を利用して入手し、キャンペーン期間中のポイント及び商品管理を行うシステムに関する。
【背景技術】
【０００２】
近年、非接触通信機能を用いた電子マネーが普及してきており、携帯電話端末などの携帯端末にもその機能が搭載された機種が販売されている。
【０００３】
一方、飲み物その他を販売する自動販売機において、電子マネーを用いた代金決済が行える機器が出現している。
【０００４】
そのような自動販売機において携帯端末により商品を購入する場合、ユーザーは自動販売機に設けられた商品選択ボタンを押して、希望の商品を選択した後、自動販売機の所定の箇所に携帯端末を接触または接近させることにより、非接触通信機能による無線インタフェースを介して、代金の決済が試みられる。この決済が成功すれば、当該商品が商品取り出し口に排出される。
【０００５】
なお、このような電子マネーによる決済機能を備えた自動販売機については例えば特許文献１，２に開示されている。
【先行技術文献】
【特許文献】
【０００６】
【特許文献１】特開２００３−３０７２５号公報
【特許文献２】特開２００５−１６５７６４号公報
【発明の概要】
【発明が解決しようとする課題】
【０００７】
ところが、自動販売機で電子マネーによる決済機能を備えさせるには通信機能を有する新規オンライン自動販売機に入れ替える必要があり、既に多くの自動販売機が設置された現状にあっては、オンライン自動販売機に入れ替え又は改善することは困難である。他方、商品キャンペーンは期間中のポイントの付与に伴い、商品の購買力を向上させるだけでなく、自動販売機にこのようなポイント付与が可能なキャンペーン運営機能を持たせることは販売計画を立てる上で、重要である。
【０００８】
本発明はこのような背景において、オフラインの既設の自動販売機であっても非接触通信機能を搭載した携帯端末の無線通信機能を利用することによりキャンペーン運営機能を持たせるシステムを構築することを企図するものである。
【課題を解決するための手段】
【０００９】
本発明は、オフライン自動販売機のキャンペーン期間中の商品の購入に伴い、携帯端末にポイントを付与するシステムにあり、
非接触通信機能を搭載し、インターネットを介して特定のサーバーと無線通信可能な携帯端末と、少なくとも予め決められたキャンペーン期間中ユーザーが商品を購入する毎に一定時間有効となるリーダーを搭載したオフライン自動販売機と、少なくとも予め決められたキャンペーン期間中携帯端末からの通信を受けて自動販売機の商品購入情報を管理するキャンペーンサーバーとからなり、
ユーザーが自動販売機からキャンペーン期間中商品を購入することによりリーダーを有効化し、ユーザーが携帯端末を有効化した自動販売機のリーダーに近付けて携帯ＩＤを送信すると、自動販売機のリーダーは携帯端末に、少なくとも商品購入情報及び購入時間情報とリーダーＩＤ及び携帯ＩＤを含むキャンペーンサーバーアドレスとを送信し、
次いで携帯端末は入手したキャンペーンサーバーアドレスに基づいて待機するキャンペーンサーバーに接続し、商品購入情報及び購入時間情報とともに携帯ＩＤ及びリーダーＩＤを送信し、
キャンペーンサーバーは受信した携帯ＩＤとリーダーＩＤを照会し、キャンペーン期間中の商品購入情報及び購入時間情報に基づきポイントを付与し、携帯端末に結果情報を送信することを特徴とする。
【発明の効果】
【００１０】
本発明によれば、自動販売機がオフライン形式のものであっても商品の購入により有効化するリーダーを付設することにより携帯端末による無線通信機能を利用してポイントを付与し、キャンペーン中の商品購入情報を入手することができる。したがって、既存の自動販売機が通信システムを備えずとも安価なコストでキャンペーン中の商品購入情報を入手してポイントを付与できるので、既設オフライン自動販売機にキャンペーン運営機能を持たせ、販売機能を格段に向上させることができる。
【００１１】
本発明システムでは不正な情報を如何にして判別するかが重要となるが、携帯端末からサーバーに送信される情報が適正であるか否かを判別するために購入時間情報をサーバーに送信するので、同一商品の購入情報に２以上のキャンペーン参加があっても最先の時間信号を伴う商品購入情報を適正とし、ポイントを付与することにより不正を防止することができる。
【００１２】
また、本発明システムでは前記リーダーは、商品情報を１回送信した後非有効化することにより不正介入を防止することもできる。
【図面の簡単な説明】
【００１３】
【図１】本発明の実施の形態による自動販売システムの全体の構成例を示す図である。
【図２】本発明で用いる非接触通信機能搭載の携帯端末のブロック構成図である。
【図３】本発明の自動販売機からの商品購入時の処理手順の一例を示すフローチャートである。
【発明を実施するための形態】
【００１４】
以下、本発明の好適な実施の形態について詳細に説明する。
【００１５】
図１は、本実施の形態による自動販売システムの全体の構成例を示している。
【００１６】
このシステムは、自動販売機２０と、携帯電話等の携帯端末１００と、通信ネットワーク４０上のサーバー５０とを含む。通信ネットワーク４０はインターネットや他の任意のネットワークをいう。自動販売機２０は、非接触通信のリーダー２４を内蔵し、所定の商品を購入することにより一定時間有効化するように制御される。携帯端末１００は基地局３０を介して通信ネットワーク４０に接続される。サーバー５０は、携帯端末からの通信情報を受け、本発明における商品情報及びポイント情報を管理する。
【００１７】
携帯端末１００の相手機器である自動販売機２０の前面には、通常販売対象の個々の商品の商品見本２１と、これに対応した選択ボタン（選択操作部）２２が複数組配置されている。別途、自動販売機２０には適宜キャンペーン期間を表示し、ポイント付与期間を明示する。商品購入時の音声通知であってもよい。本発明では、自動販売機２０は、非接触通信のアンテナ機能部２４aを備えるリーダー２４を内蔵し、該リーダー２４は自動販売機２０を制御しているマスターボックスＭＢと接続しており、携帯端末１００の非接触通信部１２０をかざす部分がアンテナ機能部２４ａに相当する。キャンペーン商品を購入すると所定時間リーダー２４は有効化され、携帯端末１００の非接触通信部１２０との間でコマンドやデータを授受するようになっている。ここでは、携帯端末１００をリーダー２４にかざすと、携帯ＩＤがリーダー２４に送信され、リーダー２４からは購入商品情報および購入時間情報と携帯ＩＤ及びリーダーＩＤを含むキャンペーンサーバーアドレスが携帯端末１００に送信されるようになっている。
【００１８】
なお、自動販売機は、商品の価格等の情報の表示部２３、商品取り出し口２５、紙幣挿入口２６、硬貨投入口２７、おつり返却レバー２８、おつり返却口２９が配置されている。
【００１９】
図２はいわゆる非接触通信機能（例えば、Ｆｅｌｉｃａ機能）を備えた一般の携帯電話のブロック図で、この携帯端末１００は、制御部１０５を中心とし、これに対してデジタル信号処理部１０３、表示部１０６、操作部１０７、外部Ｉ／Ｆ部１０８、振動部（バイブレータ）１０９、ＲＴＣ（Real Time Clock）１１０、非接触通信部１２０が接続されて構成される。
【００２０】
非接触通信部１２０は、携帯端末１００に対して非接触通信機能を付与する部位であり、通信制御部１２１とメモリ１２２とアンテナ１２３を含む。
【００２１】
制御部１０５は、携帯端末１００の機能を実現する主要部であり、ＣＰＵ、ＥＥＰＲＯＭ、Ｆｌａｓｈ、ＲＯＭ、ＲＡＭ、等を含む。制御部１０５は、本実施の形態では、さらに非接触通信部１２０との間でコマンドやデータの授受を行うためのカードインタフェースモジュールを含む。カードインタフェースモジュールは、制御部１０５の一部として組み込まれたソフトウェアモジュールである。
【００２２】
デジタル信号処理部１０３は、マイク１１５を接続した音声入力部１０１、スピーカ１１６を接続した音声出力部１０２、アンテナ１１２を接続したＲＦ入出力部１０４とがそれぞれ接続され、デジタル音声信号等のエンコード、および、デジタル音声信号等へのデコード等を行う。音声入力部１０１は、マイク１１５からのアナログ音声信号をデジタル信号に変換し、マイクアンプ、フィルタ、Ａ／Ｄ変換器、等で構成される。音声出力部１０２は、受信したデジタル音声信号をスピーカ駆動し、Ｄ／Ａ変換器、フィルタ、スピーカアンプ、等で構成される。ＲＦ入出力部１０４は、基地局との間で高周波送受信を行う。
【００２３】
表示部１０６は、ユーザーに対して情報を表示出力し、ＬＣＤドライバ、ＬＣＤ表示デバイス、等で構成される。操作部１０７は、ユーザーが携帯端末１００に対して操作情報を入力するため、キーボード、ジョグダイヤル等で構成される。外部Ｉ／Ｆ部１０８は、外部装置との間のインタフェースを提供し、通信インタフェース回路等を含む。
【００２４】
非接触通信部１２０は、制御部１０５のカードインタフェースモジュールと接続され、内部に専用の通信制御部１２１、データやプログラム等を保持する不揮発性メモリであるメモリ１２２等を備える。非接触通信部１２０は、非接触通信の無線通信のためのアンテナ１２３を介してリーダー２４との間でデータ等の授受を行う。
【００２５】
図３は、本実施の形態における自動販売機２０の処理手順の一例を示したフローチャートである。
【００２６】
自動販売機２０は、入金されると待機状態から販売状態となり、商品が選択され、決済されると、商品取り出し口２５に商品の排出（商品提供）を行うとともにリーダー２４が有効化され、図示しないマスターボックスからコラム購入商品情報と購入時間情報を受ける。
【００２７】
携帯端末１００は、外部から非接触通信部１２０へのアクセスがあったとき、すなわち、携帯端末１００が自動販売機２０のリーダー２４に接近したとき、リーダー２４は携帯端末１００から携帯ＩＤを受信し、携帯端末１００は自動販売機のリーダー２４から購入商品情報、自動販売機のリーダーＩＤ、購入時間情報、携帯端末ＩＤを暗号化して付加したサーバーアドレスを受信する。リーダー２４は前記情報の送信後無効化するようにしてもよい。リーダー２４から送信されるデータは購入者に誤りなくキャンペーン商品の購入ポイントを付与するに必要なデータ、少なくとも購入商品情報、購入時間情報、携帯ＩＤ、リーダーＩＤを暗号化してキャンペーンサーバーアドレスに付加して送信されればよいが、必要に応じてマスターボックスからコラム別購入数情報、売り切れ発生時には売り切れコラム情報を受け、付加することもできる。故障発生時には故障コードも付加して携帯端末を介して送信することができる。
【００２８】
次いで、携帯端末１００のブラウザを起動し、無線通信機能を利用してインターネットを介してキャンペーンサーバー５０と接続する。キャンペーンサーバー５０は予め決められたキャンペーン期間中待機状態にあり、携帯端末１００からの暗号データを受けてこれを復号化し、データが不正か否かを判別し、不正データであるとエラー情報を送信し、不正でない場合は次いで、同じリーダーからの連続ポイント請求かどうかを判別し、連続請求の場合はエラー情報を送信し、正当な請求であれば、ポイント付与に移り、ポイント集計とともにポイント取得結果情報を送信する。
【００２９】
携帯端末１００は上記キャンペーンサーバー５０からのポイント取得結果情報を受け、これを表示する。
【００３０】
以上の説明で明らかなように、本発明によれば、自動販売機に通信機能を持たせてオンライン状態にしなくてもオフライン状態で各自動販売機のリーダーを介して購入者の携帯端末と通信し、携帯端末の通信機能を利用してキャンペーンサーバーと接続するようにしてキャンペーンポイントを付与することができるので、安価な費用で自動販売機にキャンペーン運営機能を持たせ、自動販売機の販売機能を高めることができる。
【符号の説明】
【００３１】
２０…自動販売機、２４…リーダー、３０…基地局、４０…通信ネットワーク、５０…キャンペーンサーバー、１００…携帯端末、１２０…非接触通信部
【図１】
2011238065.tif 000003
【図２】
2011238065.tif 000004
【図３】
2011238065.tif 000005